【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
基部と、
この基部の端である一方の基部端部から当該基部の幅方向に並んで突出した２本の振動腕部と、を有する振動片と、
前記振動片が固定されるパッケージと、を備える振動子であって、
前記基部は、当該基部の一部分の幅が狭められた形状になるような切り込み部と、前記振動腕部から離れた側の当該基部の端である他方の基部端部と、前記切り込み部を境にして前記他方の基部端部の側に前記パッケージと固定される固定領域と、を備え、
前記振動腕部は、当該振動腕部の表面部及び裏面部に溝部を備え、
前記振動腕部は、前記切り込み部を境にして前記振動腕部の側における前記基部の幅よりも内側から突出しており、
前記他方の基部端部と前記切り込み部における前記振動腕部の側にある端部との距離は、前記他方の基部端部と前記溝部における前記基部の側にある端部との距離よりも小さく、且つ前記切り込み部における前記振動腕部の側にある端部と前記一方の基部端部との距離よりも大きいことを特徴とする振動子。
【請求項２】
前記振動腕部が略直方体でなり、当該振動腕部の幅が５０μｍ以上１５０μｍ以下であることを特徴とする請求項１に記載の振動子。
【請求項３】
前記表面部又は前記裏面部に設けられている溝部の少なくともいずれか一方の深さが、前記振動腕部の深さ方向の全長である厚みに対して３０％以上５０％未満であることを特徴とする請求項１又は請求項２に記載の振動子。
【請求項４】
前記表面部又は前記裏面部に設けられている溝部のうち少なくともいずれか一方の溝部の深さが、前記振動腕部の深さ方向の全長である厚みに対して４０％以上５０％未満の深さであることを特徴とする請求項１又は請求項２に記載の振動子。
【請求項５】
前記溝部の開口の幅が、前記振動腕部の幅の４０％以上であることを特徴とする請求項３又は４に記載の振動子。
【請求項６】
前記溝部の開口の幅が、前記振動腕部の前記腕部幅の７０％以上１００％未満であることを特徴とする請求項３又は４に記載の振動子。
【請求項７】
前記振動片が略３０ＫＨｚ乃至略４０ＫＨｚで発振する音叉型水晶振動片であることを特徴とする請求項１乃至請求項６のいずれかに記載の振動子。
【請求項８】
基部と、この基部の端である一方の基部端部から当該基部の幅方向に並んで突出した２本の振動腕部と、を有する振動片と、
前記振動片の振動によって発生した周波数信号が供給される集積回路と、
前記振動片が固定されるパッケージと、を備える発振器であって、
前記基部は、当該基部の一部分の幅が狭められた形状になるような切り込み部と、前記振動腕部から離れた側の当該基部の端である他方の基部端部と、前記切り込み部を境にして前記他方の基部端部の側に前記パッケージと固定される固定領域と、を備え、
前記振動腕部は、当該振動腕部の表面部及び裏面部に溝部を備え、
前記振動腕部は、前記切り込み部を境にして前記振動腕部の側における前記基部の幅方向にある端部よりも内側であり、
前記他方の基部端部と前記切り込み部における前記振動腕部の側にある端部との距離は、前記他方の基部端部と前記溝部における前記基部の側にある端部との距離よりも小さく、且つ前記切り込み部における前記振動腕部の側にある端部と前記一方の基部端部との距離よりも大きいことを特徴とする発振器。
【請求項９】
前記振動腕部が略直方体でなり、当該振動腕部の幅が５０μｍ以上１５０μｍ以下であることを特徴とする請求項８に記載の発振器。
【請求項１０】
前記表面部又は前記裏面部に設けられている溝部の少なくともいずれか一方の深さが、前記振動腕部の深さ方向の全長である厚みに対して３０％以上５０％未満であることを特徴とする請求項８又は請求項９に記載の発振器。
【請求項１１】
前記表面部又は前記裏面部に設けられている溝部のうち少なくともいずれか一方の溝部の深さが、前記振動腕部の深さ方向の全長である厚みに対して４０％以上５０％未満の深さであることを特徴とする請求項８又は請求項９に記載の発振器。
【請求項１２】
前記溝部の開口の幅が、前記振動腕部の前記腕部幅の４０％以上であることを特徴とする請求項１０又は１１に記載の発振器。
【請求項１３】
前記溝部の開口の幅が、前記振動腕部の前記腕部幅の７０％以上１００％未満であることを特徴とする請求項１０又は１１に記載の発振器。
【請求項１４】
前記振動片が略３０ＫＨｚ乃至略４０ＫＨｚで発振する音叉水晶型振動片であることを特徴とする請求項８乃至請求項１３のいずれかに記載の発振器。
【請求項１５】
請求項１乃至請求項７のいずれかに記載の振動子を制御部に接続して用いることを特徴とする電子機器。
【手続補正２】
【補正対象書類名】明細書
【補正対象項目名】０００８
【補正方法】変更
【補正の内容】
【０００８】
前記目的は、基部と、この基部の端である一方の基部端部から当該基部の幅方向に並んで突出した２本の振動腕部と、を有する振動片と、前記振動片が固定されるパッケージと、を備える振動子であって、前記基部は、当該基部の一部分の幅が狭められた形状になるような切り込み部と、前記振動腕部から離れた側の当該基部の端である他方の基部端部と、前記切り込み部を境にして前記他方の基部端部の側に前記パッケージと固定される固定領域と、を備え、前記振動腕部は、当該振動腕部の表面部及び裏面部に溝部を備え、前記振動腕部が突出する前記基部の幅方向の位置は、前記切り込み部を境にして前記振動腕部の側における前記基部の幅方向にある端部よりも内側であり、前記他方の基部端部と前記切り込み部における前記振動腕部の側にある端部との距離は、前記他方の基部端部と前記溝部における前記基部の側にある端部との距離よりも小さく、且つ前記切り込み部における前記振動腕部の側にある端部と前記一方の基部端部との距離よりも大きいことを特徴とする振動片により達成される。
【手続補正３】
【補正対象書類名】明細書
【補正対象項目名】００１０
【補正方法】変更
【補正の内容】
【００１０】
また、前記切り込み部の前記振動腕部の側にある端部が、前記溝部の前記基部の側にある端部より前記基部の前記他方の基部端部の側に形成されていることを特徴とする。
【手続補正４】
【補正対象書類名】明細書
【補正対象項目名】００１１
【補正方法】変更
【補正の内容】
【００１１】
前記切り込み部の前記振動腕部の側にある端部が、前記溝部の前記基部の側にある端部より前記基部の前記他方の基部端部の側にあるので、基部に形成される切り込み部の位置は、必ず振動腕部の溝部の端部より下方に配置されることになる。
したがって、この切り込み部の存在が、振動腕部の振動を阻害等することがない。
【手続補正５】
【補正対象書類名】明細書
【補正対象項目名】００１２
【補正方法】変更
【補正の内容】
【００１２】
また、前記基部には前記切り込み部を境にして前記他方の基部端部の側にある部分に固定領域を備えたことで、前記切り込み部の前記他方の基部端部の側である端部が、前記固定領域より前記振動腕部の側に設けられていることを特徴とする。
【手続補正６】
【補正対象書類名】明細書
【補正対象項目名】００１３
【補正方法】変更
【補正の内容】
【００１３】
前記切り込み部の前記他方の基部端部の側にある端部が、前記固定領域より前記振動腕部の側に設けられているので、切り込み部の前記振動腕部の側の端部は、必ず固定領域より前記振動腕部の側（図４の上方）に配置されるので、切り込み部１２５が固定領域１１１に影響を及ぼすことがなく、音叉型水晶振動片１００のパッケージに対する固定状態に悪影響を与えることがない。
また、振動腕部の振動により、溝部から漏れてきた漏れ振動は、切り込み部により、基部の固定領域に伝わり難くなる。このため、漏れ振動が固定領域に伝わって生じるエネルギー逃げが発生し難くなる。
従来は、ＣＩ値の振動片素子間のばらつきが、標準偏差で１０ＫΩ以上発生していたが、本発明では、標準偏差が１ＫΩにまで激減した。
以上のようにＣＩ値の振動片素子間のバラツキの安定化を図ることができるので、従来の振動片のように基部の長さを腕部の長さの４０％以上にする必要がない。
これにより、本発明では、基部の長さを短くすることができ、振動片の大きさを小型化することができる。
【手続補正７】
【補正対象書類名】明細書
【補正対象項目名】００１４
【補正方法】変更
【補正の内容】
【００１４】
好ましくは、前記振動片の前記振動腕部が略直方体でなり、当該振動腕部の幅が５０μｍ以上１５０μｍ以下であることを特徴とする。
【手続補正８】
【補正対象書類名】明細書
【補正対象項目名】００１５
【補正方法】変更
【補正の内容】
【００１５】
このような振動片においても、前記切り込み部を設けることで、基部を小型化でき、振動片全体を超小型化できると共に、実用的なＣＩ値の上限である１００ＫΩ以下で、ＣＩ値の振動片素子間のバラツキを安定化させることができる。
【手続補正９】
【補正対象書類名】明細書
【補正対象項目名】００１６
【補正方法】変更
【補正の内容】
【００１６】
好ましくは、前記振動片の前記振動腕部の表面部及び裏面部に溝部が形成されていると共に、前記表面部又は前記裏面部に設けられている溝部のいずれかの深さが、前記振動腕部の深さ方向の全長である厚みに対して３０％以上５０％未満であることを特徴とする。
【手続補正１０】
【補正対象書類名】明細書
【補正対象項目名】００１７
【補正方法】変更
【補正の内容】
【００１７】
前記振動片の前記表面部及び前記裏面部に設けられている溝部のいずれかの深さが、前記振動腕部の深さ方向の全長である厚みに対して３０％以上５０％未満の深さに形成されているので、超小型振動片でもＣＩ値を実用上の上限である１００ＫΩ以下に抑えることができる。また、前記切り込み部を設けることで、ＣＩ値の振動片素子間のバラツキを安定化させることができる。
【手続補正１１】
【補正対象書類名】明細書
【補正対象項目名】００１８
【補正方法】変更
【補正の内容】
【００１８】
好ましくは、前記振動片の前記表面部又は前記裏面部に設けられている溝部のうち少なくともいずれか一方の溝部の深さが、前記振動腕部の深さ方向の全長である厚みに対して４０％以上５０％未満の深さであることを特徴とする。
【手続補正１２】
【補正対象書類名】明細書
【補正対象項目名】００２０
【補正方法】変更
【補正の内容】
【００２０】
好ましくは、前記振動片の前記溝部の開口の幅が、前記振動腕部の前記腕部幅の４０％以上であることを特徴とする。
【手続補正１３】
【補正対象書類名】明細書
【補正対象項目名】００２１
【補正方法】変更
【補正の内容】
【００２１】
前記振動片の前記溝部の開口の幅が、前記振動腕部の前記腕部幅の４０％以上と成っているので、ＣＩ値を実用上の上限である１００ＫΩ以下に抑えることができる振動子となる。また、前記切り込み部を設けることで、ＣＩ値の振動片素子間のバラツキを安定化させることができる。
【手続補正１４】
【補正対象書類名】明細書
【補正対象項目名】００２２
【補正方法】変更
【補正の内容】
【００２２】
好ましくは、前記溝部の開口の幅が、前記腕部幅の７０％以上１００％未満に形成されていることを特徴とする。
【手続補正１５】
【補正対象書類名】明細書
【補正対象項目名】００２３
【補正方法】変更
【補正の内容】
【００２３】
前記振動片の前記溝部の開口の幅が前記腕部幅の７０％以上１００％未満に形成されているので、前記切り込み部を設けることで、ＣＩ値の振動片素子間のバラツキを安定化させることができる。
【手続補正１６】
【補正対象書類名】明細書
【補正対象項目名】００２６
【補正方法】変更
【補正の内容】
【００２６】
前記目的は、基部と、この基部の端である一方の基部端部から当該基部の幅方向に並んで突出した２本の振動腕部と、を有する振動片と、前記振動片の振動によって発生した周波数信号が供給される集積回路と、前記振動片が固定されるパッケージと、を備える発振器であって、前記基部は、当該基部の一部分の幅が狭められた形状になるような切り込み部と、前記振動腕部から離れた側の当該基部の端である他方の基部端部と、前記切り込み部を境にして前記他方の基部端部の側に前記パッケージと固定される固定領域と、を備え、前記振動腕部は、当該振動腕部の表面部及び裏面部に溝部を備え、前記振動腕部は、前記切り込み部を境にして前記振動腕部の側における前記基部の幅方向の端部よりも内側であり、前記他方の基部端部と前記切り込み部における前記振動腕部の側にある端部との距離は、前記他方の基部端部と前記溝部における前記基部の側にある端部との距離よりも小さく、且つ前記切り込み部における前記振動腕部の側にある端部と前記一方の基部端部との距離よりも大きいことを特徴とする発振器により達成される。
【手続補正１７】
【補正対象書類名】明細書
【補正対象項目名】００２７
【補正方法】変更
【補正の内容】
【００２７】
好ましくは、前記切り込み部の前記振動腕部側である上端部が、前記溝部の前記基部側である下端部より前記基部の底面（他の基部端部）側に形成されていることを特徴とする発振器である。
【手続補正１８】
【補正対象書類名】明細書
【補正対象項目名】００３７
【補正方法】変更
【補正の内容】
【００３７】
これに対して、本実施の形態の音叉型水晶振動片１００の基部１１０の長さは、音叉腕１２１，１２２の長さに対して上述のように３４％になるように形成されているので、従来の音叉型水晶振動片１０と同様の構成では、音叉腕１２１，１２２の振動による振動漏れが生じ、ＣＩ値の振動片素子間のバラツキが増大することになる。
しかし、本実施の形態では、図１に示すように基部１１０の両側に切り込み部１２５が２箇所設けられている。
この状態を示すのが図３である。図３は図１の基部１１０の切り込み部１２５の配置状態を示す概略斜視図である。
図３に示すように切り込み部１２５が矩形状に形成されている。
このような切り込み部１２５は、図１に示すように基部１１０の上端部（一方の基部端部）から０．１１３ｍｍ下側から下方に向かって形成されている。